(57)【要約】【課題】端末が低速および高速移動中いずれの場合でも、等化処理アルゴリズムのステップサイズを適応制御し、安定してビット誤りの少ない受信復調を行うこと。【解決手段】等化処理部１１３は、受信シンボル系列R1(t)を入力として等化処理して推定送信シンボル系列R(t)および周波数オフセット系列feを出力する。移動速度推定部１１４は、feに基づき移動速度を推定し、ステップサイズ制御部１１５は、推定移動速度に基づき、ステップサイズを選定する。タップ係数更新部１１２は、選定されたステップサイズおよび推定回線長に基づきタップ係数を更新し、等化処理部１１３に推定送信系列R(t)を出力する。【選択図】図１
2007096787.tif 000002
【特許請求の範囲】
【請求項１】
伝搬路の回線インパルス応答を推定し、その結果にもとづいてタップ係数とタップ長を推定する回線推定手段と、
少なくともタップ係数が更新可能な適応アルゴリズムに基づき等化処理を行い受信データを復調するとともに、受信データをもとにして受信周波数オフセットを推定する等化手段と、
前記受信周波数オフセットに基づき端末装置の移動速度を推定する移動速度推定手段と、
前記移動速度に基づいて前記適応アルゴリズムの更新ステップサイズを決定するステップサイズ制御手段と、
前記回線推定手段で推定されたタップ長および前記更新ステップサイズに基づき、タップ係数を更新して前記等化手段に出力するタップ係数更新手段と、
を具備するデータ受信装置。
【請求項２】
前記移動速度推定手段は、前記受信周波数オフセットの二乗値の移動平均に基づき移動速度を推定する請求項１に記載のデータ受信装置。
【請求項３】
前記移動速度推定手段は、前記受信周波数オフセットの二乗値の区間平均に基づき移動速度を推定する請求項１に記載のデータ受信装置。
【請求項４】
前記タップ係数更新手段は、等化処理により発生する誤差系列も合わせて受けてタップ係数を更新する請求項１に記載のデータ受信装置。
【請求項５】
周波数引き込みの安定・不安定を判定するアンロック判定手段を具備し、前記更新ステップサイズ制御手段は、前記アンロック判定手段が不安定の判定を示したときはステップサイズの制御を停止して所定の初期値を出力し、その後不安定の判定が解消したときはステップサイズの制御を再開する、請求項１に記載のデータ受信装置。
【請求項６】
伝搬路の回線インパルス応答を推定し、その結果にもとづいてタップ係数とタップ長を推定する回線推定ステップと、
少なくともタップ係数が更新可能な適応アルゴリズムに基づき等化処理を行い受信データを復調するとともに、受信データをもとにして受信周波数オフセットを推定する等化ステップと、
前記受信周波数オフセットに基づき端末装置の移動速度を推定する移動速度推定ステップと、
前記移動速度に基づいて前記適応アルゴリズムの更新ステップサイズを決定するステップサイズ制御ステップと、
前記回線推定ステップで推定されたタップ長および前記更新ステップサイズに基づき、タップ係数を更新して前記等化ステップに出力するタップ係数更新ステップと、
を具備するデータ受信装置の制御方法。
【発明の詳細な説明】
【技術分野】
【０００１】
本発明は、適応等化処理機能を有するデータ受信装置及びその制御方法に関する。
【背景技術】
【０００２】
従来から適応等化処理は、マルチパスフェージングにより時間変動する回線において、トレーニングシーケンスにより回線インパルス応答（以下必要に応じて、「ＣＩＲ」と略称する。））を推定し、受信した信号から送信系列を再現する目的で採用されている。しかし、トレーニングシーケンスにより推定された回線インパルス応答は送信されるフレーム長の一部であるため、フレームの受信中に時間変動する回線を完全にはトラッキングできない。そのため、トレーニングシーケンスから時間的に離れたシンボル位置でのビットエラーが増加する問題を抱えていた。そして移動速度や回線歪みの時間変動が大きいほど顕著になる傾向がある。
【０００３】
この問題を解決するため、従来たとえばＭＬＳＥ等化器では遅延分散の大きな環境ほど歪みが大きく回線インパルス応答（ＣＩＲ）の時間変動率も大きいことに着目し、回線インパルス応答（ＣＩＲ）を等化後の推定送信系列により求めた回線インパルス応答と参照比較して、その誤差系列に基づいてＬＭＳなどの適応アルゴリズムによって更新ステップサイズを用いて適応的に制御することが行われている。この処理を適応等化と呼んでいる。ここで、更新ステップサイズとは、k番目のタップ係数をCk(t)、そのgradient系列をGk(t)とした際に、新たなタップ係数Ck+1(t)を決める以下の式（１）における∇を指し、フィードバックループにおける誤差系列Ck-1(t)-Ck(t)の帰還係数を意味する。
Ck+1(t) = Ck(t) - ∇Gk(t)            ・・・（１）
【０００４】
端末の移動による動的な回線歪みやドップラーシフトなど回線インパルス応答の時間変動率による受信ビット誤り率を極小化するために更新ステップサイズには最適値が存在する。大きな回線歪みや高速移動による時間変動率の大きいインパルス応答の場合は更新ステップサイズを大きくして誤差修正のための帰還量を増すことが必要である。更新ステップサイズに関する詳細な説明は例えば非特許文献１の第１１章などに記載されている。
【０００５】
適応等化におけるステップサイズ制御に関する従来技術の一つとしては、回線推定器で得られる回線インパルス応答の時間変動率に注目するもので、更新ステップサイズを回線インパルス応答の変化率に基づいて制御するものがある（例えば、特許文献１参照）。
【０００６】
また、別の従来技術としては、回線インパルス応答（ＣＩＲ）の遅延分散の広がりに注目するもので、更新ステップサイズを受信信号から推定した回線インパルス応答の長さに対応づけて制御するものもある（例えば、特許文献２参照）。
【非特許文献１】「DIGITAL COMMUNICATIONS (JOHN G.PROAKIS)」
【特許文献１】特表平６−５１１２３０号公報
【特許文献２】特開平９−２９４０９５号公報
【発明の開示】
【発明が解決しようとする課題】
【０００７】
しかし、特許文献１の方法では処理が複雑になる。また特許文献２の方法ではステップサイズの制御を、ステップサイズを受信系列の遅延分散に対応づけるステップサイズ制御部を設けることによって実現することがポイントとなっているため、例えば遅延量が少なく、移動速度が大きいケースでは時間変動率は大きいのでステップサイズを大きく制御する必要があるが回線インパルス応答の遅延分散は小さいので結果的にステップサイズを小さく制御してしまうことになり、受信ビット誤り率を極小化できない問題がある。
【０００８】
本発明は、かかる点に鑑みてなされたもので、端末が低速および高速移動中いずれの場合でも、更新ステップサイズを最適値になるよう制御し、マルチパスフェージング環境下で安定してビット誤りの少ない受信復調を行うことができるデータ受信装置およびその制御方法を提供することを目的とする。
【課題を解決するための手段】
【０００９】
かかる課題を解決するため本発明に係るデータ受信装置は、伝搬路の回線インパルス応答を推定し、その結果にもとづいてタップ係数とタップ長を推定する回線推定手段と、少なくともタップ係数が更新可能な適応アルゴリズムに基づき等化処理を行い受信データを復調するとともに、受信データをもとにして受信周波数オフセットを推定する等化手段と、前記受信周波数オフセットに基づき端末装置の移動速度を推定する移動速度推定手段と、前記移動速度に基づいて前記適応アルゴリズムの更新ステップサイズを決定するステップサイズ制御手段と、前記回線推定手段で推定されたタップ長および前記更新ステップサイズに基づき、タップ係数を更新して前記等化手段に出力するタップ係数更新手段と、を具備する構成を採る。
【００１０】
また、本発明に係るデータ受信装置の制御方法は、伝搬路の回線インパルス応答を推定し、その結果にもとづいてタップ係数とタップ長を推定する回線推定ステップと、少なくともタップ係数が更新可能な適応アルゴリズムに基づき等化処理を行い受信データを復調するとともに、受信データをもとにして受信周波数オフセットを推定する等化ステップと、前記受信周波数オフセットに基づき端末装置の移動速度を推定する移動速度推定ステップと、前記移動速度に基づいて前記適応アルゴリズムの更新ステップサイズを決定するステップサイズ制御ステップと、前記回線推定ステップで推定されたタップ長および前記更新ステップサイズに基づき、タップ係数を更新して前記等化ステップに出力するタップ係数更新ステップと、を具備する。
【発明の効果】
【００１１】
本発明によれば、回線歪みの大小と端末で推定した移動速度に応じて更新ステップサイズを最適値に適応的に制御するので、回線歪み大小いずれのマルチパスフェージングでかつ移動を伴う回線環境下でも安定してビット誤りの少ない受信復調を行うことができ、ビット誤りを低減することが可能である。
【発明を実施するための最良の形態】
【００１２】
以下、本発明の実施の形態について、図面を参照して詳細に説明する。
【００１３】
（実施の形態１）
図１は、本発明の実施の形態１に係るデータ受信装置１００の構成を示すブロック図である。図１において、データ送信装置２００は、送信シンボル系列Ｔ（ｔ）を、変調部２０１、ＲＦ送信部２０２および送信アンテナ２０３を介して高周波信号で送信する。データ受信装置１００はデータ送信装置２００からの高周波信号を受けて推定送信シンボル系列R(t)を復調するため、受信アンテナ１０１、ＲＦ受信部１０２、サンプリング部１０３および適応等化器１１０とから主に構成される。
【００１４】
ＲＦ受信部１０２は、受信アンテナ１０１が受信した高周波信号をベースバンド信号に変換して、サンプリング部１０３に出力する。また、ＲＦ受信部１０２は、自動周波数制御（ＡＦＣ（Automatic Frequency Control））回路１２１を内蔵する。ＡＦＣ回路１２１は、ベースバンド周波数において適応等化器１１０で検出された周波数オフセット系列feがゼロになるようフィードバック制御を行う。ここで、周波数オフセット系列feの計算について図２を用いて説明する。１シンボル周期（=τ）当たりの位相回転量をφR(t)[rad/τ]とおき、φR(t)は時刻tのフレームにおける等化前の受信系列R1(t)の時刻tにおける位相、φRE(t)は時刻tのフレームにおける等化後の推定送信系列R(t)の時刻tにおける位相とする（式（２））。そして式（３）では等化前後の位相差を示す。受信系列R1(t)と推定送信系列R(t)から回線で生じた位相差Δφがわかり、またシンボル数k、シンボル周期Tsは既知、（λ−λＥ）は一致値なので、2πfeTsを傾きm、（λ−λＥ）を切片cとおき、一次関数Δφ=mk+cの傾きmを計算することでfeを求めることが出来る。
【数１】
2007096787.tif 000003
【数２】
2007096787.tif 000004
【００１５】
式(２)、(３)において、fcは搬送波周波数、kは時刻tのフレームに含まれるシンボル数、Tsはシンボル周期、λは時刻tのフレームに含まれる等化前の受信シンボル系列R1(t)による位相、λEは時刻tのフレームに含まれる等化後の受信シンボル系列R(t)による位相、feは時刻tのフレームにおける周波数誤差を示す。
【００１６】
サンプリング部１０３は、ＲＦ受信部１０２から出力されたベースバンド信号をアナログ／ディジタル変換して、受信系列R1(t)に変換し、適応等化器１１０に出力する。
【００１７】
適応等化器１１０は、回線推定部１１１と、タップ係数更新部１１２と、等化処理部１１３と、移動速度推定部１１４と、ステップサイズ制御部１１５とを備え、受信系列R1(t)に基づき推定送信シンボル系列R(t)を復調する。
【００１８】
回線推定部１１１は、送信アンテナ２０３から受信アンテナ１０１の間の無線回線の遅延プロファイルを同定する機能を有するもので、回線インパルス応答（ＣＩＲ）と回線の推定回線長(CLength)を推定する。なお推定回線長(CLength)は、遅延プロファイルの最大遅延量によって決められる。
【００１９】
等化処理部１１３では、タップ係数更新部１１２からの回線インパルス応答（ＣＩＲ）および回線推定部１１１からの推定回線長CLengthで定まる等化条件で、受信系列R1(t)に対して上記式（１）に示すＬＭＳアルゴリズムでタップ係数Ckを算出し、そのCkによって等化処理を行い、推定送信シンボル系列R(t)を復調する。なお、この場合、最初の推定回線長C_Length単位分の等化処理では、回線推定部１１１からの回線インパルス応答（ＣＩＲ）を初期値として、タップ係数更新部１１２を介してそのまま使う。また、推定回線長(C_Length+1)以降のシンボルの等化処理では、回線推定器１１１からの回線インパルス応答（ＣＩＲ）を、更新ステップサイズと誤差eによってタップ係数更新部１１２において更新し、この更新後の回線インパルス応答（ＣＩＲ）を使う。適応アルゴリズムはＬＭＳ等が採用可能である。
【００２０】
等化処理部１１３は、また、その出力である推定送信シンボル系列R(t)を復調するに当たって、受信系列R1(t)と、推定送信シンボル系列R(t)の位相差から、図２を用いて説明した方法で周波数オフセットfeを得る。この周波数オフセットは時系列データであり、等化処理部１１３は、周波数オフセットfeを順次ＲＦ受信部１０２および移動速度推定部１１４に出力する。
【００２１】
移動速度推定部１１４は、時系列データとして順次入力される周波数オフセットfeの時系列を入力値として二乗値を算出し、式（４）に示すAuto Regressiveの計算によって移動平均(ＦＯＥ１)を計算し移動体の移動速度を推定する。
FOE1(t) = αF*(fe* fe)+ (1-αF)*FOE1(t-1)・・・（４）
ここでαFはweight factorであり正の数である。t=0の演算初回は，例えば初回のみαF =1としてFOE1(0)=(fe* fe)とする、あるいはFOE(-1)をFOE(0)とみなす方法などが考えられる。しかし長区間に渡る移動速度推定において初期値の計算方法の違いによる差は無視できるので、これらの方法に限定されるものではない。
【００２２】
ここで周波数オフセットの二乗値の移動平均（ＦＯＥ１）の意義を説明する。
【００２３】
すなわち発明者は、3GPP TS05.05及び TS45.005に規定されている回線条件のうち、代表的かつ重要な例である「Rural Area」(図３に示す遅延プロファイル)、「Typical Urban」(図４に示す遅延プロファイル)および「Hilly Terrain」(図５に示す遅延プロファイル)について、移動体の移動速度を1.5km/h（低速）、50km/h（中速）、100km/h（高速）としてシミュレーションを行った。その結果、図６、図７や図９、図１０で示す「Rural Area」、「Typical Urban」など、比較的回線歪みの小さい伝送路では、例えば最も単純な低速／高速の二値化をすれば、移動体の移動速度を精度良く推定出来ることを確かめた。また、図８や図１１に示すような伝搬遅延の大きい「Hilly Terrain」でweight factorαFを例えば0.001など小さくすることで平均化の精度を高めることで正しく推定できることを確認した。また、別途数４において、移動平均や区間平均を用いた場合には「Rural Area」、「Typical Urban」では誤検知なく推定されるが、「Hilly Terrain」では、低速と高速時の周波数オフセットの二乗値の移動平均値（ＦＯＥ１）や区間平均値の時間変動大きくなるため、逆転が生じるケースが発生し、最も単純な低速／高速の二値化を行ったとしても誤検知を回避することは出来ないことも確認した。
【００２４】
回線歪みの大小は回線推定部１１１で推定された(CLength)と容易に関連づけることができる。すなわち回線歪みが所定以下の場合には、周波数オフセットfeの二乗値の移動平均（ＦＯＥ１）に着目すれば、実用上十分な範囲でステップサイズの制御が有効なことを示している。
【００２５】
移動速度推定部１１４は、このようにして求めた移動平均（ＦＯＥ１）と所定の第１のしきい値Th1と比較して移動速度を推定する。具体的には、所定のしきい値th１以下のときは移動体は低速移動の状態にあると推定し、しきい値th1より大きい場合には移動体は高速移動の状態にあると推定し、図１２に対応する比較結果を推定移動速度情報として、ステップサイズ制御部１１５に出力する。
【００２６】
ステップサイズ制御部１１５は、移動速度推定部１１４からの推定移動速度情報と、回線推定部１１１からの推定回線長(CLength)を受け、図１２で示す選択テーブルに従い、タップ係数更新部１１２に出力するステップサイズを決定する。
【００２７】
すなわち、ステップサイズ制御部１１５は、回線推定部１１１が出力する推定回線長(CLength)が所定の第２のしきい値th_tap以下であって回線歪みが小さいと認められる場合には、移動速度推定部１１４が出力する推定移動速度の高低に応じて更新ステップサイズを制御する。具体的には、ステップサイズ制御部１１５は、推定移動速度が低速と推定される場合は更新ステップサイズを所定値St_Lに設定し、高速の場合には更新ステップサイズを第２の所定値St_Hに、設定する。ここで更新ステップサイズは正の値である。
【００２８】
また、推定回線長(CLength)が所定の第１のしきい値th_tapより大きく回線歪みが大きいと認められる場合には、移動速度推定部１１４の出力に応じて制御するのを停止し、更新ステップサイズをFOE1とTh1の大小判定結果に応じてSt_ht1かSt_ht2いずれかを選択し、所定の値St_htにセットする。
【００２９】
なお、ここで、移動速度の大小関係によるSt_HとSt_L、St_ht1とSt_ht2の大小関係については、移動速度が高速と推定される場合には、低速の場合に比べて更新ステップサイズは大きく設定されるべきなので、St_H＞St_L、St_ht2 > St_ht1である。また、CLengthの大小による更新ステップサイズの大小関係については、CLengthが大きい場合には遅延量が大きく、回線インパルス応答の時間変動率も大きくなることから、ＬＭＳのトラッキング速度を大きくする必要があるので、更新ステップサイズも大きく設定されるべきなので、St_h2 > St_H、St_ht1 > St_Lである。
【００３０】
なお、図１２において、FOE1とTh1の大小関係、CLengthとth_tapの大小関係について、等号はいずれにあってもよい。
【００３１】
タップ係数更新部１１２は、回線推定部１１１からの回線インパルス応答（ＣＩＲ）及び推定回線長CLength、およびステップサイズ制御部１１５から指定される更新ステップサイズの出力を受けて、タップ係数を等化処理部１１３にセットする。その後、１バースト分の受信系列R(t)を等化する間、シンボル誤差eを等価処理部１１３から受けてＬＭＳ等に基づく適応処理によりタップ係数を更新する。
【００３２】
次にこの実施の形態１に係るデータ受信装置１００の動作を説明する。なお実施の形態１の説明はＴＤＭＡ方式を前提とし、単位ＴＤＭＡフレーム中に１つのＴＤＭＡバーストを受信するシングルスロット受信を前提として進める。これに対して、単位ＴＤＭＡフレーム中に複数のＴＤＭＡバーストを受信するマルチスロット受信については後述する。
【００３３】
最初に、図１３に示すＴＤＭＡバーストＢ１が送信シンボル系列Ｔ（ｔ）としてデータ受信装置１００に送信されたとする。この送信シンボル系列Ｔ（ｔ）は、送信側の変調部２０１、ＲＦ送信部２０２、アンテナ２０３によって送信され、受信側では、アンテナ１０１が受信し、続いてＲＦ受信部１０２でベースバンド帯域のアナログ信号に変換され、サンプリング部１０３で受信系列R1(t)に変換される。
【００３４】
この受信系列R1(t)は、サンプリング部１０３を介して回線推定部１１１に入力される。回線推定部１１１は、最初にＴＤＭＡバーストＢ１のトレーニングシーケンスＢ１０のシンボルを使い、回線の推定インパルス応答（ＣＩＲ）を求め、さらに推定回線長(CLength)を求める。
【００３５】
次に、タップ係数更新部１１２は、回線インパルス応答（ＣＩＲ）を初期値として等化処理部１１３へ更新された回線インパルス応答をセットする。次に等化処理部１１３は、セットされた回線インパルス応答（ＣＩＲ）と推定回線長(CLength)をパラメータとして、受信系列R1(t)の一部である図１３のＢ１１及びＢ１２のシンボル区間について、推定送信シンボル系列R(t)からシンボル誤差の系列eを求め、そして図１３のデータ系列Ｂ１１およびＢ１２を、Ｂ及びＡで示す方向に順次等化処理して推定送信シンボル系列R(t)を得る。等化はＡ１及びＢ１からＡ２及びＢ２の方向に向かって行われ、等化処理とＣＩＲの更新処理は１シンボル毎に行われる。
【００３６】
等化が図１３に示すＡ２及びＢ２まで到達し、１つのＴＤＭＡバーストの等化が完了すると、等化処理部１１３は、周波数オフセットfeを移動速度推定部１１４およびＲＦ受信部１０２に出力する。このようにして、１つのＴＤＭＡバーストの等化が完了ごとに、移動速度推定およびＡＦＣが行われ、単位フレームの周期による制御動作が終了する。なお、ＡＦＣについて説明すると、ＲＦ受信部１０２は、この周波数オフセットfeを時系列データとして受け、ＡＦＣ回路１２１を用いて、受信周波数誤差をゼロにするようＡＦＣ処理を行う。
【００３７】
またこの周波数オフセット誤差feの時系列データは、移動速度推定部１１４にも入力され、移動速度推定部１１４は、移動速度を推定し、結果を推定移動速度情報として、ステップサイズ制御部１１５に出力する。
【００３８】
ステップサイズ制御部１１５は、移動速度推定部１１４からの推定移動速度情報と、回線推定部１１１から推定回線長(CLength)を受け、ステップサイズを決定しタップ係数更新部１１２に出力する。
【００３９】
これに応じてタップ係数更新部１１２は、回線推定部１１１からの回線インパルス応答（ＣＩＲ）及び推定回線長CLength、およびステップサイズ制御部１１５から指定される更新ステップサイズの出力を受けて、タップ係数を等化処理部１１３にセットし、等化処理部１１３は、１バースト分の受信系列R(t)を等化処理する。
【００４０】
なお、移動速度を推定するため、実施の形態１では、移動速度推定部１１４にAuto Regressiveによる移動平均を用いたが、移動速度の推定は、図９から図１１に示すような周波数オフセットfeの二乗値系列の区間平均を計算する方法でも実現可能である。区間平均による場合は、移動平均による方法よりも計算量を小さくすることができる。
【００４１】
また、本実施の形態１では、推定移動速度を高速、低速２値としたが、これは３値以上のＮとしてもよい。しかし、推定移動速度の分解能を上げることは、（式４）で述べたように、αFを小さくすれば可能である。しかし、端末の移動速度の変化への追随時間が遅くなってしまうため、許容時間との兼ね合いで調節する必要がある。なお、実施の形態１のＬＭＳアルゴリズムに替えて、ＲＬＳアルゴリズムによる適応等化でも実施可能である。
【００４２】
（実施の形態２）
図１４は、本発明の実施の形態２に係るデータ受信装置の概略構成を示すブロック図である。実施の形態１と同じ機能を有するブロックについては、図１と同じ参照符号を付して、詳しい説明は省略する。
【００４３】
図１４において、アンロック判定部１２３は、等化処理部１１３から周波数オフセットfeを受けて、ＡＦＣ処理によって周波数引き込みが安定しないときにアンロック状態として検知し、アンロック検知信号をステップサイズ制御部１１８および移動速度推定部１１９に出力する。アンロック検知には、ロック時には周波数オフセットfeの平均値のゼロからのずれが小さくなる特性を利用しており、所定の閾値より平均値の絶対値が大きければアンロックと判定する。この構成によって、ＦＯＥが瞬時変動するケースでも好適なステップサイズ制御を行う点に実施の形態２に係るデータ受信装置の特徴がある。なおアンロック判定部１２３は、受信中はロック、アンロックの状態に関わらず周波数オフセットfeを入力として連続的に判定を行う。
【００４４】
具体的にはアンロック判定部１２３は、周波数オフセット系列ＦＯＥの移動平均値が所定範囲から所定時間外れたことを検知することでアンロックを検知し、アンロック検知信号をステップサイズ制御部１１８に伝える。アンロックが検知されるのは、通常はＡＦＣ回路１２１の初期引き込み時、非同期のセルへのハンドオーバ時、圏外時などが考えられ、本実施の形態においても、アンロック検知はそのような用途を想定している。圏内にいる時は、例えばＧＳＭ／ＥＤＧＥシステムではTS05.10 や TS45.010 等に|0.1ppm|等と通常は精度規定が存在するため、ロックが外れることはない。
【００４５】
アンロックが検知された場合、ステップサイズ制御部１１８は、移動速度推定部１１９が出力する推定移動速度に基づくステップサイズ制御を停止し、記憶部１２０に予め記憶していた所定の更新ステップサイズSt_1をタップ係数更新部１１２にセットする。
【００４６】
また、アンロックが検知された場合、移動速度推定部１１９は、アンロック検知信号を受信して記憶している推定移動速度の系列情報をクリアする。そしてアンロックの期間中はクリアの状態を保持し、アンロックが解除された場合にはアンロック検知信号はなくなり、移動速度推定部１１９は、再び推定処理を開始する。
【００４７】
このように、本実施の形態２に係るデータ受信装置は、動作環境が不安定でアンロックが検出される状態では、ＦＯＥの尤度が低いことから速度推定の精度も下がることを考慮することで、過去の統計的データから予め定めていた所定値を更新ステップサイズとすることにより、通信環境が悪い場合でも極力通信継続が可能となり、データ受信装置の活用度が高まる。
【００４８】
なお、上記はシングルスロット受信について説明したが、単位ＴＤＭＡフレーム中にＮ個のバーストを受信する方法、例えばGSM標準仕様 TS45.002に記載されているマルチスロット受信では、時系列的に得られる周波数オフセット誤差feもＮ倍になる。その結果、移動速度推定部１１４およびＡＦＣ回路１２１の入力サンプルもＮ倍に増えるがシングルスロットと等しい制御周期とすることで、適用可能である。
【００４９】
なお、実施の形態１および実施の形態２での説明ではＴＤＭＡバーストを想定しているが、本発明は、ＣＤＭＡ方式でも適用可能である。
【００５０】
また本発明に係る各実施の形態によれば、周波数オフセットfeの推定結果をもとに移動速度推定を行い、移動速度による重み付けのステップサイズを決定するので、ビットエラーを低減することが可能である。また、周波数オフセットfeを求めることは、ＡＦＣ処理等のため必須であり、この周波数オフセットfeを用いて移動速度推定部を実現するので、簡単な回路部の追加のみで、ステップサイズを制御して好適な等化処理を行い、受信性能の向上を安価に実現することが可能となる。
【産業上の利用可能性】
【００５１】
本発明に係るデータ受信装置は、移動に伴う回線の時間変動に対して高い追従を発揮するので、例えば携帯電話などディジタル通信を行う無線通信端末のデータ受信装置として、有用である。
【図面の簡単な説明】
【００５２】
【図１】本発明の実施の形態１に係るデータ受信装置の構成を示すブロック図
【図２】周波数オフセット系列feの説明図
【図３】Rural Area におけるチャネル長を示す図
【図４】Typical Urban におけるチャネル長を示す図
【図５】Hilly Terrain におけるチャネル長を示す図
【図６】Rural Area における周波数オフセット推定値の移動平均の時系列を示す図
【図７】Typical Urban における周波数オフセット推定値の移動平均の時系列を示す図
【図８】Hilly Terrain における周波数オフセット推定値の移動平均の時系列を示す図
【図９】Rural Area における周波数オフセット推定値の区間平均の時系列を示す図
【図１０】Typical Urban における周波数オフセット推定値の区間平均の時系列を示す図
【図１１】Hilly Terrain における周波数オフセット推定値の区間平均の時系列を示す図
【図１２】実施の形態１に係るステップサイズ選択テーブルを示す図
【図１３】ミッドアンブル構成のＴＤＭＡバーストを示す図
【図１４】本発明の実施の形態２に係るデータ受信装置の構成を示すブロック図
【符号の説明】
【００５３】
１００  データ受信装置
１０１  受信アンテナ
１０２  ＲＦ受信部
１０３  サンプリング部
１１０  適応等化器
１１１  回線推定部
１１２  タップ係数更新部
１１３  等化処理部
１１４、１１９  移動速度推定部
１１５、１１８  ステップサイズ制御部
１２３  アンロック判定部
２００  データ送信装置
２０１  変調部
２０２  ＲＦ送信部
２０３  送信アンテナ
【図１】
2007096787.tif 000005
【図２】
2007096787.tif 000006
【図３】
2007096787.tif 000007
【図４】
2007096787.tif 000008
【図５】
2007096787.tif 000009
【図６】
2007096787.tif 000010
【図７】
2007096787.tif 000011
【図８】
2007096787.tif 000012
【図９】
2007096787.tif 000013
【図１０】
2007096787.tif 000014
【図１１】
2007096787.tif 000015
【図１２】
2007096787.tif 000016
【図１３】
2007096787.tif 000017
【図１４】
2007096787.tif 000018